(57)【特許請求の範囲】
【請求項１】
電球用口金直下のＬＥＤ灯電源回路を内蔵する部分、上下に伸縮自在な蛇腹類似の構造部分、および、回転自在でかつＬＥＤ灯を保持する部分から構成される電球用口金を用いたＬＥＤ照明器具において、回転自在でかつＬＥＤ灯を保持する部分が、直管型ＬＥＤ灯またはおよび円環型ＬＥＤ灯に取り替え可能な機構を有すること、を特徴とするＬＥＤ照明器具。
【発明の詳細な説明】
【技術分野】
【０００１】
本願発明は、電球用口金を使用して、直管型またはおよび円環型ＬＥＤ灯を固定する照明器具に関する。
【背景技術】
【０００２】
電球用口金を使用して、白熱電球に替え、ＬＥＤを使用する電球（以下「ＬＥＤ電球」という。）や蛍光灯を用いた電球型蛍光灯は実用に供され、それらに関連する特許文献も多数見られる。
【０００３】
また、蛍光灯を用いた天井灯において、直管型蛍光灯に替え、直管型ＬＥＤ灯を用いる発明は実用化されてきている。
この発明においては、直管型ＬＥＤ灯は電源回路を直管部分に内蔵しなければならず、即ち直管型ＬＥＤ灯１本１本に直管部分に電源回路を内蔵しなければならず、また天井灯としての利用方法は従来の蛍光灯を用いた天井灯と差異はなく、単に光源が置き換わっただけであって、１本毎に電源回路を内蔵する直管型ＬＥＤ灯では価格が安価とは言えなかった。
【０００４】
さらに、天井灯として、天井に直付されるか、吊り下げられるかされていて、上下の位置を簡易に変更できず、特に直管型の場合は水平面での角度は固定されたままで、水平面で回転もできなかったため、天井灯としての上下位置・水平面での位置を変更することによる、照度・照射角度の変更・調整を行うことはできなかった。
【０００５】
蛍光灯を使用した従来の天井灯では、天井灯としては重量が重くなり、電球用口金を使用するには不都合があった。
【０００６】
また、電球用口金を使用して、直管型ＬＥＤ灯を取付ける方法については、未だ事例が無く、そのうえ、円環型ＬＥＤ灯を取付ける方法についても、未だ発明されていない。
【先行技術文献】
【特許文献】
【０００７】
【特許文献１】特開２０１２-０９９３３５号公報
【発明の概要】
【発明が解決しようとする課題】
【０００８】
天井灯として、直管型またはおよび円環型ＬＥＤ灯の照明器具を安価かつ簡易に使用できるようにすることを課題とする。
【０００９】
また、天井灯としての上下位置・水平面での位置を変更することによって、照度・照射角度の変更・調整を可能にし、照明器具としての利用価値を高めることを課題とする。
【課題を解決するための手段】
【００１０】
近年は、天井に窪んだ凹部を設け、その凹部に電球用ソケットを埋めこんでいる場合が多い事例に鑑み、この場合の電球用ソケットを積極的に利用することにした。無論、従来の吊り下げ型電球用ソケットでも使用可能である。
【００１１】
電球用口金直下にＬＥＤ灯電源回路を内蔵する部分（以下「ＬＥＤ灯電源回路内蔵部分」という。）を設け、直管型または円環型ＬＥＤ灯（以下適宜「ＬＥＤ灯」と総称する。）には電源を内蔵させないことにした。
【００１２】
ＬＥＤ灯電源回路内蔵部分と回転自在でかつＬＥＤ灯を保持する部分（以下「回転自在ＬＥＤ灯保持部分」という。）の間に、上下に伸縮自在な蛇腹類似の構造部分（以下「蛇腹類似構造部分」という。）を設けた。
【発明の効果】
【００１３】
電球用ソケットを利用することとしたことから、既設の電気設備を利用できる。
【００１４】
天井凹部に埋め込まれた電球用ソケットを利用できれば、天井に直付けされた天井灯とほぼ同等の照明効果が得られる。
【００１５】
直管型または円環型ＬＥＤ灯に電源を内蔵させないことから、構造も簡単になり安価にＬＥＤ灯を利用できることができる。
【００１６】
ＬＥＤ灯に電源を内蔵させないことから、電源部の故障にも簡易に対応が可能となり、ＬＥＤ灯はそのまま利用できる。
【００１７】
蛇腹類似構造部分を設けたことから、天井灯の上下位置を自在に変更でき、照度の調整も容易になった。
【００１８】
回転自在ＬＥＤ灯保持部分を設けたことから、簡易に回転でき、照射角度の変更・調整を行うことができ、伸縮自在な蛇腹類似構造部分と相まって、部屋の雰囲気を容易に変えることができる。
【００１９】
直管型または円環型ＬＥＤ灯の取り替えが簡易に行える機構を設けたことから、ＬＥＤ灯の取り替えが可能かつ容易となり、照度の調整・部屋の雰囲気を変えることができ、照明器具としての利用範囲が広くなった。
【図面の簡単な説明】
【００２０】
【図１】本願発明を示す、側面図である。
【図２】本願発明を示す、下方から見た斜視図である。
【図３】本願発明に直管型ＬＥＤ灯を取付けた状態を示す斜視図であって、下方から見た図である。
【図４】本願発明に円環型ＬＥＤ灯を取付けた状態を示す斜視図であって、下方から見た図である。
【図５】本願発明の蛇腹類似構造部分（例１）を示す図であって、リフトカバー方式を示す図である。
【図６】本願発明の蛇腹類似構造部分（例２）を示す図であって、蛇腹方式を示す図である。
【図７】本願発明（例１）の電源線の取り出しを示す斜視図である。
【図８】本願発明の電源コネクターを示す斜視図である。
【発明を実施するための形態】
【００２１】
本願発明は、図１に示すように、電球用口金１０の直下に設けたＬＥＤ灯電源回路内蔵部分２０、さらに下部に蛇腹類似構造部分３０および回転自在ＬＥＤ灯保持部分４０から構成されている。
【００２２】
電球用口金１０としてはＥ２６／Ｅ２７口金が用いられる。
【００２３】
ＬＥＤ灯電源回路内蔵部分２０には、通常用いられるＬＥＤ灯電源回路が内蔵される。
通常用いられるＬＥＤ灯電源回路の例としては、出願人の特許第５２７２１２号に示す回路（一部）がある。
【００２４】
蛇腹類似構造部分３０としては、図５に示すリフトカバー３１方式や、図６に示す蛇腹３５方式のようなものがある。
これらは、具体例を示すものであって、ＬＥＤ灯の上下位置を所望の位置に固定出来る方式であれば、他の方式でもよい。
【００２５】
図例としての図５に示すリフトカバー３１方式は、３段構成からなるリフトカバー方式を示している。３段からなる各リフトカバーは、相互に回転自在になるように円筒状で構成され、それらの上端には内側に全周に渡って内爪３２が設けられ、上部２段を構成する各リフトカバーの下端の外側には外爪３３が設けられている。
外爪は対向する２ヶ所に設けられていて、各外爪は円周角で９０°未満の角度となるように構成されている。
さらに、下部２段を構成する各リフトカバーの中間部分には、一段上段の外爪の在る部分に相当する内側に突起３４が設けられている。
図５はリフトカバーが伸展した状態を示すもので、Ａ−Ａ断面Ｃ部拡大図は、上段のリフトカバーの外爪が下段のリフトカバーの内爪および突起に嵌合した箇所の状況を示し、Ｂ−Ｂ断面Ｄ部拡大図は、外爪が存在しない箇所の状況を示している。
従って、一段下段（例．上から２段目、以下同様とする。）のリフトカバーを９０°回転すると、一段下段のリフトカバーは上段（例．最上段、以下同様とする。）の外爪の存在しない部分に到達するから、一段下段のリフトカバーは上方へ押し上げることができ、さらに、一段下段のリフトカバーを回転すると、一段下段のリフトカバーの突起が上段の外爪で支持され、収縮状態が保持されることになる。
このようにして、複数段からなるリフトカバーを１段に収縮できる。
また、リフトカバーが伸展・収縮した状態で、ロック機構も備えることができる（詳細省略）。
なお、このリフトカバー方式においては、限定されるものの、水平面で回転も可能である。
リフトカバー方式において、電源線（図６の２１相当）は、電源コネクター２２（図８）によってＬＥＤ灯と接続される（図７）。
【００２６】
蛇腹３５方式では、蛇腹上下位置調整用管３６に外挿された蛇腹上下位置調整用ストッパー３７によって任意の位置に固定される。
また、蛇腹方式において、電源線２１は蛇腹上下位置調整用管に内挿され、電源コネクター２２（図８）によってＬＥＤ灯と接続される。
【００２７】
回転自在ＬＥＤ灯保持部分４０は、図１および図６に示すように、ＬＥＤ灯保持プレート４１、回転機構（上部）４２、回転機構（下部）４３およびＬＥＤ灯取付具４４からなっている。
ＬＥＤ灯保持プレートは、平板状で、その周辺を折り曲げたり所定の箇所を押し出し加工して強度を高めた形状で製作され、さらに、回転機構の円形の開口やＬＥＤ灯取付具用の長孔の開口が設けられている。
回転機構４２・４３は、ＬＥＤ灯保持プレートを回転自在に挟持している（図１、図２、図６）。
なお、回転の自在性を高めるために、必要に応じ、ベアリング等も用いられる。
ＬＥＤ灯取付具４４は、ＬＥＤ灯保持プレートに設けられたＬＥＤ灯取付具用の長孔の開口を移動・回転可能に把持する構成になっており、爪状のＬＥＤ灯を把持する部材が取付けられている。
また、ＬＥＤ灯の電源線２１はＬＥＤ灯電源回路内蔵部分２０から取り出され（図６、図７）、電源コネクター２２（図８）を介して、ＬＥＤ灯に接続される。
電源コネクターには逆接続防止機能を備えた平行２ピンコネクターが使用される（図８）。
【００２８】
ＬＥＤ灯取付具４４は、直管型または円環型ＬＥＤ灯を任意に取付けることができ、直管型ＬＥＤ灯５０を取付けた場合を図３に、円環型ＬＥＤ灯６０を取付けた場合を図４に示す。
【産業上の利用可能性】
【００２９】
本願発明は、日常生活に必要不可欠な照明に関するものであって、従来の天井灯の蛍光灯に替えてＬＥＤ灯を使用することとし、電球用口金を利用して、ＬＥＤ灯の取付位置を上下・回転自在の機構を設けたことから、照度の調整・部屋の雰囲気を変えることができ、省エネルギーに貢献できるとともに、安価に供給できることから、産業上の利用可能性が高いものである。
【符号の説明】
【００３０】
１０      電球用口金
２０      ＬＥＤ灯電源回路内蔵部分
２１      電源線
２２      電源コネクター
３０      蛇腹類似構造部分
３１    リフトカバー
３２    内爪
３３    外爪
３４    突起
３５    蛇腹
３６    蛇腹上下位置調整用管
３７    蛇腹上下位置調整用ストッパー
４０      回転自在ＬＥＤ灯保持部分
４１      ＬＥＤ灯保持プレート
４２      回転機構（上部）
４３      回転機構（下部）
４４      ＬＥＤ灯取付具
５０      直管型ＬＥＤ灯
６０      円環型ＬＥＤ灯
【要約】
【課題】
天井灯として、直管型またはおよび円環型ＬＥＤ灯の照明器具を安価かつ簡易に使用できるようにし、天井灯としての上下位置・水平面での位置を変更可能にすることによって、照明器具としての利用価値を高めることを課題とする。
【解決手段】
電球用口金を利用し、電球用口金の直下にＬＥＤ灯電源回路内蔵部分を設け、蛇腹類似構造部分および回転自在なＬＥＤ灯保持部分からなる照明器具とした。蛇腹類似構造部分によって、ＬＥＤ灯の上下位置を所望の位置に固定できるようにし、さらに、回転自在なＬＥＤ灯保持部分によってＬＥＤ灯を水平方向に回転自在にするとともに、ＬＥＤ灯取付具によって、直管型または円環型ＬＥＤ灯を任意に取付・取替ができるようにした。
【選択図】    図１【図１】
0005885370.tif 000002
【図２】
0005885370.tif 000003
【図３】
0005885370.tif 000004
【図４】
0005885370.tif 000005
【図５】
0005885370.tif 000006
【図６】
0005885370.tif 000007
【図７】
0005885370.tif 000008
【図８】
0005885370.tif 000009